(57)【要約】【課題】  必要時に地面に対して出没可能な給水栓（消火栓）を、安全、かつ、確実に、しかも安定的に昇降操作できるようにする。【解決手段】  出没式給水装置１０は、地下に埋設された水道用配管Ｐに給水栓３０が地上に出没させ得る様に２重管２０により伸縮可能に配設されており、２重管２０の間には水道用配管Ｐからの水圧によっては伸張しない抵抗が付与される抵抗手段５０が設けられている。【選択図】        図１
2006112076.tif 000002
【特許請求の範囲】
【請求項１】
地下に埋設された水道用配管に給水栓が地上に出没させ得る様に２重管により伸縮可能に配設された出没式給水装置であって、
前記２重管間には前記水道用配管からの水圧によっては伸張しない抵抗が付与される抵抗手段が設けられていることを特徴とする出没式給水装置。
【請求項２】
請求項１に記載の出没式給水装置であって、
前記抵抗手段の抵抗は、前記２重管間の摺動摩擦力により付与されていることを特徴とする出没式給水装置。
【請求項３】
請求項１または請求項２に記載の出没式給水装置であって、
前記抵抗手段は、前記２重管の一方の管に螺旋状に形成された案内部と、該案内部に係合する他方の管に設けられた係合ピンとによって抵抗を付与する構成とされていることを特徴とする出没式給水装置。
【請求項４】
請求項１に記載の出没式給水装置であって、
前記抵抗手段の抵抗は、前記２重管の一方の管に水平方向に形成された案内部と、該案内部に係合する他方の管に設けられた係合ピンとによって付与されることを特徴とする出没式給水装置。
【請求項５】
請求項４に記載の出没式給水装置であって、
前記案内部は、前記２重管の一方の管に前記係合ピンを螺旋状に案内するように形成されるとともに、部分的に水平方向に形成されていることを特徴とする出没式給水装置。
【請求項６】
請求項３から請求項５のいずれかに記載の出没式給水装置であって、
前記２重管の一方の管に形成された係合ピンには、回転体が設けられていることを特徴とする出没式給水装置。
【請求項７】
請求項３から請求項６のいずれかに記載の出没式給水装置であって、
前記係合ピン及びこれに係合する前記案内部が２つ以上設けられた構成になっていることを特徴とする出没式給水装置。
【発明の詳細な説明】
【技術分野】
【０００１】
本発明は、出没式給水装置に関するものであり、詳しくは、通常時には地下に埋設された水道管に接続状態で配設され、必要時には給水栓を地上に対して出没させ得る出没式給水装置に関する。
【背景技術】
【０００２】
近年、大規模な地震や火事等によって引起される災害に対し、各自治体毎の防災対策の強化が図られるようになっている。災害発生時には、建物や道路等が倒壊するなどして、水道・電気・ガス・通信等の供給が途絶える恐れがあり、このようなライフライン機能の停止は、市民生活に大きな支障を引起すものである。
そこで、各自治体においては、例えば災害時の給水体制を確保するために、被災者の避難所に充てられる各地域の小学校等の周辺に消火栓を設置し、応急給水施設として利用するようにしている。すなわち、消火栓から供給される水を利用して、被災者に飲料水や生活用水を代用供給している。具体的には、消火栓の排水口に、仮設の蛇口を備えた器具（給水栓）の導管を接続して組付けを行い、この取付けた蛇口から給水を受ける。ところで、このような消火栓は、従来、路面に対して突出した状態に設けられていることが多かった。しかし、このように地面から突出した消火栓は、未使用時においても通行者や走行車両に対して進路妨害となる。そこで、最近では、消火栓をマンホール（地下）などに埋設することで、未使用時の障害とならないように対策が施されている。しかしながら、消火栓が地下に埋設されたままのものは、組付け作業をかえって困難なものにする。すなわち、緊急時のような人員不足状況下においては、上述した器具の組付け作業を、被災者等の素人が行わなければならない状況が十分に考えられる。このような作業に慣れない者が上記組付け作業を行うことは非常に困難なものである。
【０００３】
そこで、上記問題を鑑みて、例えば、後記特許文献１に記載された消火栓が提案されている。この開示によれば、消火栓を地下に埋設し、弁開閉操作部によって給水可能状態に（開弁）すると、水道管（地下に埋設された水道管）からの水圧を受けて上部パイプ（給水蛇口を具備する部位）が上昇し、所定の地上位置に突出するようになっている。また、使用後には、弁開閉操作部によって給水不可状態に（閉弁）すると、上部パイプが下降して再び地下位置に引き戻される。これにより、消火栓の未使用時には、路面を走行する車両等の障害とならない地下に沈下させておくことができ、使用時には、器具の接続作業のし易い地上位置に突出させることを可能にしている。
【０００４】
【特許文献１】特開平７−１１３２５４号公報
【発明の開示】
【発明が解決しようとする課題】
【０００５】
上記従来の技術では、地下に埋設された給水栓（消火栓）を使用するに際し、一定の操作（弁開閉操作部の開弁）を行うことにより、給水栓を自動的、かつ、連続的に所定の地上位置まで突出させることはできた。すなわち、この操作によって上昇する部位（上部パイプ）は、地下水道の水圧のみによって所定の位置まで上昇する機構とされているため、一度、開操作が行われると、人手によらず所定の位置まで連続的に上昇するものであった。したがって、例えば、給水栓付近に子供などが居るにも拘わらず、不注意によって開操作してしまった場合、瞬時にその上昇を止めない限り不測の被害を生じる恐れがあった。
【０００６】
また、このような給水栓は、主として被災時にしか利用する機会はなく、このような緊急事態において、常に操作に熟知したものが操作を行うとは限らない。したがって、操作に慣れない者にとっては、給水栓がどの程度の速度で、どの程度まで上昇するかが感覚的に掴めないため、操作に不安感を与えるばかりでなく、操作者自身にとっても不測の被害を受けかねないものであった。
【０００７】
また、このように上昇する機構は、詳しくは、パイプ同士の摺動機構や、水流を絞って緩衝するなどした緩衝機構や、各ストッパ等の組込まれた複雑な機構によって自動昇降する構成となっているため、万が一この摺動を妨げる不具合が生じた場合には、正常に昇降がなされないため、その後に水圧によって突然の昇降動作を引起す恐れがある。しがたって、長期に亘る使用に対しては、各構成要素の劣化等によりスムーズな動作が得られる信頼性が低く、安定しない。
【０００８】
本発明は、上記した問題を解決するものとして創案されたものであって、本発明が解決しようとする課題は、必要時に地面に対して出没可能な給水栓（消火栓）を、安全、かつ、確実に、しかも安定的に昇降操作できるようにすることにある。
【課題を解決するための手段】
【０００９】
上記課題を解決するために、本発明の出没式給水装置は次の手段をとる。
先ず、本発明の第１の発明は、地下に埋設された水道用配管に給水栓が地上に出没させ得る様に２重管により伸縮可能に配設された出没式給水装置であって、２重管間には水道用配管からの水圧によっては伸張しない抵抗が付与される抵抗手段が設けられているものである。
この第１の発明によれば、地下に埋設された水道用配管に接続状態の２重管は、一方の管が他方の管に対して伸縮可能に構成されており、地上に出没させ得る様に配設されている。そして、このいずれかの管は、水道用配管からの水圧によって伸張方向に附勢を受ける。しかしながら、この附勢された管は、抵抗手段による抵抗を受けるため、水圧によっては伸張しない。また、静止状態の管は、手動操作などで所定の伸張方向に力を作用させることにより、伸張させられる。
【００１０】
次に、本発明の第２の発明は、上述した第１の発明において、抵抗手段の抵抗は、２重管間の摺動摩擦力により付与されているものである。
この第２の発明によれば、抵抗手段による抵抗は、２重管の伸縮動に伴う摺動摩擦力によるものとされる。すなわち、水圧によって、いずれかの管が伸張方向に附勢されると、この２重管間に摺動摩擦力が作用する。したがって、この摺動摩擦力の作用が水圧に抵抗するため、管を伸張させないように作用する。
【００１１】
次に、本発明の第３の発明は、上述した第１または第２の発明において、抵抗手段は、２重管の一方の管に螺旋状に形成された案内部と、該案内部に係合する他方の管に設けられた係合ピンとによって抵抗を付与する構成とされているものである。
ここで、螺旋状に形成された案内部は、凹条に形成されて係合ピンが緩嵌されるようにしたものや、凸条に形成されて係合ピンが下方から接触状態となるようにしたものが含まれる。
この第３の発明によれば、２重管の伸縮動は、一方の管に形成された螺旋状の案内部に、他方の管に設けられた係合ピンが係合されて接触摺動することにより行われる。また、これにより、管が水圧によって伸張方向に附勢される力は、螺旋のリード角により、管を長手方向に伸張させる方向の力と管を回転させる方向の力とに分解される。すなわち、管を伸張させるに際して、摺動摩擦力が作用することに加え、管を長手方向に伸張させる力を減少させる。したがって、この両者の作用が、管を伸張させないように働く。また、必要時に管を螺旋方向に回転させるようにすれば、静止状態の管は滑らかに伸縮動する。
【００１２】
次に、本発明の第４の発明は、上述した第１の発明において、抵抗手段の抵抗は、２重管の一方の管に水平方向に形成された案内部と、該案内部に係合する他方の管に設けられた係合ピンとによって付与されるものである。
ここで、水平方向に形成された案内部は、凹条に形成されて係合ピンが緩嵌されるようにしたものや、凸条に形成されて係合ピンが下方から接触状態となるようにしたものが含まれる。
この第４の発明によれば、水圧により生じる管を長手方向に伸張させる方向の力は、一方の管に水平方向に形成された案内部に、他方の管に設けられた係合ピンが係合されることで均衡状態にされる。したがって、管は、水圧によっては伸張しない。
【００１３】
次に、本発明の第５の発明は、上述した第４の発明において、案内部は、２重管の一方の管に係合ピンを螺旋状に案内するように形成されるとともに、部分的に水平方向に形成されているものである。
この第５の発明によれば、管が伸張しないように抵抗を付与する案内部が、係合ピンを螺旋状に案内するように形成されるとともに、部分的に水平方向に形成された構成となっている。したがって、案内部の水平方向の部分が管を伸張させないように作用し、この部分が螺旋状に部分的に形成されている（螺旋から連繋している）ことで段段とならず、必要時に管を螺旋方向に回転させるようにすれば、静止状態の管は滑らかに伸縮動する。
【００１４】
次に、本発明の第６の発明は、上述した第３から第５のいずれかの発明において、２重管の一方の管に形成された係合ピンには、回転体が設けられているものである。
この第６の発明によれば、案内部と係合ピンとによって付与される摺動摩擦力が軽減される。したがって、静止状態の管を伸張させる際には、その挙動が滑らかとなる。
【００１５】
次に、本発明の第７の発明は、上述した第３から第６のいずれかの発明において、係合ピン及びこれに係合する案内部が２つ以上設けられた構成になっているものである。
この第７の発明によれば、係合ピン及びこれに係合する案内部が２つ以上設けられているため、管に抵抗を付与することがより安定化される。また、静止状態の管を伸張させる際には、その挙動が滑らかとなる。
【発明の効果】
【００１６】
本発明は上述した手段をとることにより、次の効果を得ることができる。
先ず、本発明の第１の発明によれば、水道用配管からの水圧によって伸張方向に附勢を受ける２重管は、抵抗を受けることにより、水圧によっては伸張せず、静止状態になる。すなわち、必要時に、手動操作によって、所定の伸張方向に力を作用させれば、２重管を必要量だけ伸張させることが確実に行える。詳しくは、伸張操作を途中で止めると、２重管は、再び水圧のみを受けた状態となって静止する。したがって、２重管が勢い余って必要以上に伸張されるといった恐れがなく、また、従来の如く、静止状態から突然に昇降動作を行うといった恐れもなく（安全である）、その挙動を安定化させることができる。
【００１７】
次に、本発明の第２の発明によれば、２重管間の摺動摩擦力により、水圧によって伸張しない抵抗を付与することができる。したがって、比較的簡単な構成によって２重管に抵抗を付与することができる。
次に、本発明の第３の発明によれば、螺旋状に形成された案内部によって、緩やかに管の伸張を止めることができる。また、静止状態の管は、螺旋方向に回転させるようにすれば、軽い力で滑らかに伸張させることができる。
次に、本発明の第４の発明によれば、水平方向に形成された案内部によって、管の伸張をより確実に止めることができる。
次に、本発明の第５の発明によれば、管を伸張させないように作用する案内部が段段とならず、また、必要時に静止状態の管を伸張させる際には、螺旋により軽い力で、かつ、滑らかに伸張させることができる。同様に、管を静止させる部位にも滑らかに到達させることができる。
次に、本発明の第６の発明によれば、２重管の伸張時における摺動摩擦力を軽減させることができるため、より滑らかに伸張操作を行うことができる。
次に、本発明の第７の発明によれば、管に抵抗を付与することがより安定的に行える。また、２重管の伸張時におけるガタツキを抑え、滑らかに伸張操作することができる。
【発明を実施するための最良の形態】
【００１８】
以下に、本発明を実施するための最良の形態の実施例について、図面を用いて説明する。
【実施例１】
【００１９】
始めに、本発明の実施例１の出没式給水装置１０について、図１〜図５に基づいて説明する。図１は出没式給水装置１０の配設状態の外観正面図、図２は出没式給水装置１０の側面図、図３は出没式給水装置１０の平面図、図４は図１における２重管２０を部分的に拡大した断面図、図５は出没式給水装置１０の使用状態を示す図である。本実施例の出没式給水装置１０は、地下に埋設された水道用配管Ｐに接続状態で配設され、必要時に、給水栓３０を地上に対して出没させ得る様な構成とされている。詳しくは、出没式給水装置１０は、水道用配管Ｐから受ける水圧よっては上昇しない様に抵抗が付与され、必要時には、手動操作などによって、所望の分だけ上昇させ得る構成とされている。
【００２０】
次に、出没式給水装置１０の構成について説明する。出没式給水装置１０は、図１〜図４に良く示されるように、伸縮可能な２重管２０と、この２重管２０の上部に連結された給水栓３０と、地下に埋設された水道用配管Ｐに２重管２０の接続口２１ａを連通接続するフランジ４０と、水道用配管Ｐからの水圧によって伸張しようとする２重管２０に抵抗を付与する抵抗手段５０と、を備えている。
【００２１】
詳しくは、２重管２０は、一端に接続口２１ａを有する主管２１と、主管２１に緩嵌装された摺動管２２と、から成り、これら管２１，２２間には、漏水防止用のＯリング２３が設けられている。
また、主管２１の外周壁面２１ｂには、所定の下方位置から上方位置に向かう螺旋案内溝５２が互いに対向する位置（２箇所）に形設されている。詳しくは、螺旋案内溝５２は、５０度のリード角を有して主管２１の外周を１回転半する様に形成されている。なお、このリード角は、あくまでも、水圧によって２重管２０が伸張しない抵抗を付与するために設定された一例に過ぎない。
そして、摺動管２２には、この螺旋案内溝５２に係合するプランジャー５３が２箇所に設けられている。詳しくは、プランジャー５３の先端には、本発明における回転体に相当する球体５３ａが付設されており、螺旋案内溝５２を滑らかに摺動するようになっている。また、摺動管２２は、通常状態においては、主管２１と重なる状態（プランジャー５３が螺旋案内溝５２の下端に位置）に配置されており、上昇操作を行うと、螺旋案内溝５２に係合状態のプランジャー５３がこの螺旋に沿って摺動することにより、摺動管２２を主管２１に対して伸張させる。ここで、螺旋案内溝５２が本発明の案内部に相当し、プランジャー５３が本発明の係合ピンに相当する。
【００２２】
次に、給水栓３０は、図２及び図３に良く示されているように、摺動管２２の上端に連結されたチーズ３１（チーズ３１は、ソケット３３とニップル３４とを介して連結されている）の両取付口３１ａに２個ずつ取付けられており（ブッシング３２を介して取付けられている）、これらは摺動管２２と一体的となって伸縮動される。また、チーズ３１の上部には、給水栓３０を手動操作するためのハンドル６０が設けられている。
次に、フランジ４０は、地中に埋設された水道用配管Ｐのフランジにボルト等によって固定されており、水道用配管Ｐに主管２１の接続口２１ａを連通接続している。
【００２３】
次に、抵抗手段５０は、接続状態の水道用配管Ｐからの水圧によって伸張しようとする２重管２０に抵抗を付与するものであり、具体的には、図４に良く示されるように、前述した螺旋案内溝５２と、球体５３ａを備えたプランジャー５３と、が含まれて構成されている。具体的に述べると、抵抗手段５０は、２重管２０を伸張させる際に、プランジャー５３と螺旋案内溝５２とによって摺動摩擦抵抗力を作用させ、更に、螺旋を構成している螺旋案内溝５２の傾斜面により摺動管２２を伸張させる力を分解し減少させる。これにより、２重管２０が水圧によって伸張しない抵抗を付与している。後者の抵抗について詳しく述べると、２重管２０が水道用配管Ｐより水圧を受けると、プランジャー５３が２重管２０の伸張方向に附勢されて螺旋案内溝５２の上面を押圧する。これにより、水圧によって２重管２０を伸張させようとする力は、摺動管２２を伸張させる方向の力と摺動管２２を回転させる方向の力に分解される。したがって、摺動管２２を伸張させる力は、実質的に減少ことになる。したがって、この両者の作用が、水圧によって２重管２０を伸張させないように働く。
【００２４】
以上のように、本実施例の出没式給水装置１０が構成されている。続いて、出没式給水装置１０の使用方法について、地下に埋設された水道用配管Ｐに接続状態で配設された給水栓３０を、所定の地上位置まで突出させるという使用例に基づいて説明する。ここで、図１に示されるように、地下（地面Ｇに掘設されたマンホールＭ内）に配設された出没式給水装置１０は、開閉弁Ｖによって水道用配管Ｐとの流通が閉塞状態にされている。したがって、この状態の出没式給水装置１０は、水道用配管Ｐからの水圧を受けていない。
【００２５】
始めに、図１に示すマンホールＭの蓋Ｃを取り去り、開閉弁Ｖを開操作する。これにより、出没式給水装置１０は、水道用配管Ｐと流通状態となり水圧を受ける。しかしながら、水圧を受けた２重管２０は、抵抗手段５０によって抵抗を付与されて、上昇しない。
したがって、次に、図５に示すように、ハンドル６０を把持して給水栓３０を上昇操作する。具体的には、ハンドル６０を把持して螺旋方向に軽い引張り力を作用させれば良い。これにより、静止状態の給水栓３０（給水栓３０と一体的な部位を含む）を所望の分だけ上昇させることができる。なお、給水栓３０の上昇操作を途中で止めると、給水栓３０は、再び抵抗手段５０により静止される。このように、簡単な手動操作により、給水栓３０を所定の地上位置まで安全に上昇させることができる。ここで、給水栓３０を所定の地上位置（本実施例においては、図５の地上位置）まで上昇させた後には、例えば、吐水口３０ａを上向きに回転させるなどして、使用し易い状態にすればよい。
【００２６】
なお、給水栓３０の使用後には、開閉弁Ｖを閉操作し、出没式給水装置１０の内部の水圧を給水栓３０の吐水口３０ａより開放し、手動操作（ハンドル６０を把持して螺旋方向に操作）することにより、簡単に初期位置（マンホールＭ内）に戻すことができる。
【００２７】
このように、本実施例の出没式給水装置１０は、水道用配管Ｐから水圧を受けて伸張しようとする２重管２０に、水圧によっては上昇しない抵抗を付与することができる。また、このような抵抗を付与するための抵抗手段５０は、螺旋案内溝５２にプランジャー５３を摺動させることによる摺動摩擦抵抗力と、２重管２０を伸張させる力（水圧による）を減少させることと、の両者を作用させる。これにより、水圧に対して略同等の抵抗力を付与して２重管２０を伸張させないようにしている。したがって、給水栓３０を地上の所定の位置に上昇させるに際し、水圧によって突然勢い良く上昇するといったこともなく安全である。
また、必要時には、手動操作などによって、静止状態の給水栓３０に軽い力（軽い引張り力）を作用させれば、所望の分だけ簡単に上昇させる（引出す）ことができるため、非常に便利である。
更に、螺旋案内部とプランジャー５３とをそれぞれ対向する位置に設けている（２つ以上設けられている）ため、２重管２０に抵抗を付与することが安定的に行える。また、手動操作するときにも伸張時のガタツキなどが起こり難く、滑らかに操作することができる。加えて、プランジャー５３の先端に付設された球体５３ａによって、螺旋案内溝５２との摺動摩擦抵抗力を軽減させているため、これによっても滑らかな伸張操作が可能となる。
更に、このように給水栓３０を安全、かつ、確実に、しかも安定的に上昇させることが、上述した簡単な構成によって達成することができる。すなわち、抵抗の付与に係る機構の部品点数が少なく済むため、製造コストも低廉に抑えることができる。また、単純な構成であるため、故障等を引起すことも少なく、長期の使用が可能となる。
【実施例２】
【００２８】
続いて、本発明の実施例２の出没式給水装置１１について、図６及び図７に基づいて説明する。図６は出没式給水装置１１の配設状態の外観正面図、図７は図６における２重管を部分的に拡大した断面図である。なお、本実施例においては、実施例１の出没式給水装置１０と同様の構成及び作用を奏する箇所についての説明は省略し、相異する箇所について詳しく説明することにする。
【００２９】
出没式給水装置１１は、図６及び図７に良く示されるように、主管２１の外周壁面２１ｂに、水平案内溝５４と、この水平案内溝５４に連繋した螺旋案内溝５５とが形成されている。この螺旋案内溝５５は、実施例１における螺旋案内溝５２よりも大となるリード角を有して、所定箇所で水平案内溝５４に連繋しながら、全体として主管２１の外周を１回転半する様に形成されている。したがって、摺動管２２の上昇操作を行うと、螺旋案内溝５５に係合状態のプランジャー５３がこの螺旋案内溝５５及び水平案内溝５４に沿って摺動し、摺動管２２が主管２１に対して伸張する。ここで、水平案内溝５４が本発明の案内部に相当する。
【００３０】
次に、抵抗手段５１は、上述した水平案内溝５４と、球体５３ａを備えたプランジャー５３と、が含まれて構成されている。本実施例における抵抗手段５１は、水平案内溝５４の位置において、水圧を受けたプランジャー５３を当接状態にすることにより、２重管２０を伸張させようとする力を均衡状態に（抵抗を付与）している。すなわち、水圧を受けると、プランジャー５３は、２重管２０の伸張方向に附勢されて、水平案内溝５４の上面を押圧する。この作用が、水圧によって２重管２０を伸張させないように働く。また、螺旋案内溝５５は、実施例１よりも大となるリード角を有しているため、摺動管２２の上昇（プランジャー５３の摺動）に対して一定の抵抗を付与する。したがって、摺動管２２は、螺旋案内溝５５を摺動する間は緩やかな挙動となる。
【００３１】
以上のように、本実施例の出没式給水装置１１が構成されている。続いて、出没式給水装置１１の使用方法について、地下に埋設された水道用配管Ｐに接続状態で配設された給水栓３０を、所定の地上位置まで突出させるという使用例に基づいて説明する。
開閉弁Ｖの開操作により水圧を受けた摺動管２２（プランジャー５３）は、螺旋案内溝５５を緩やかに摺動して水平案内溝５４に到達する。これにより、２重管２０は、抵抗手段５１によって抵抗を付与されるため、上昇しない。
したがって、作業を行うものがハンドル６０を把持して手動操作（上昇操作）すれば、静止状態の給水栓３０（給水栓３０と一体的な部位を含む）を所定の位置（次の水平案内溝５４）で静止させられる機能を持たせながら、所望の位置まで上昇させることができる。
【００３２】
このように、本実施例の出没式給水装置１１は、水圧を受けた２重管２０の摺動を、螺旋案内溝５５によって一定の抵抗を付与することにより挙動を緩やかにし、更に、水平案内溝５４において、２重管２０を水圧によって伸張させないようにすることが確実に行える。
また、必要時に静止状態の２重管２０を伸張させる際には、螺旋方向に軽い引張り力を作用させるだけで、簡単に、かつ、滑らかに伸張させることができる。すなわち、給水栓３０を、安全、かつ、確実に、しかも安定的に昇降操作することができる。
【００３３】
以上、本発明の実施形態を２つの実施例について説明したが、本発明は上記実施例のほか各種の形態で実施できるものである。
例えば、２重管２０を長尺に形成したものであっても良い。すなわち、２重管２０の伸張可能な長さを、給水栓３０を地上から突出させたい所望の高さ位置に合わせて長尺に形成すれば、水道用配管Ｐの埋設される深さに合わせるなどの様々な利用形態に適用させることが可能となる。
また、給水栓３０が水圧によって上昇しない（２重管２０が伸張しない）抵抗の大きさは、水道用配管Ｐからの水圧や出没式給水装置１０，１１（摺動管２２と一体的となって摺動する部位全体）の重量等によって異なる。したがって、例えば、水圧が高い場合には、螺旋案内溝５２，５５のリード角を小にするなどして、係る抵抗の大きさを変えればよい。
更に、抵抗手段５０，５１を２個ずつ設けて、抵抗の付与や操作の安定化を図ったものを示したが、抵抗手段５０，５１を１個または３個以上設けるようにしても良い。
更に、螺旋案内溝５２，５５と水平案内溝５４とを示したが、これらを凸条に形成した場合であってもよい。すなわち、水圧によって摺動管２２が上昇した際に、プランジャー５３が凸条の下方から押圧するため、同様の作用及び効果が得られる。
更に、実施例２で示した水平案内溝５４の形設位置や数は限定されるものではなく、例えば、その形設位置を、給水栓３０が地面Ｇに到達する位置で静止するように設ければ、給水栓３０が突発的に地面Ｇから突出してくるような事態を確実に防ぐことができ、好適である。
【図面の簡単な説明】
【００３４】
【図１】実施例１における出没式給水装置の配設状態の外観正面図である。
【図２】実施例１における出没式給水装置の側面図である。
【図３】実施例１における出没式給水装置の平面図である。
【図４】図１における２重管を部分的に拡大した断面図である。
【図５】実施例１における出没式給水装置の使用状態を示す図である。
【図６】実施例２における出没式給水装置の配設状態の外観正面図である。
【図７】図６における２重管を部分的に拡大した断面図である。
【符号の説明】
【００３５】
１０，１１  出没式給水装置
２０    ２重管
２１    主管
２１ａ  接続口
２１ｂ  外周壁面
２２    摺動管
２３    Ｏリング
３０    給水栓
３０ａ  吐水口
３１    チーズ
３１ａ  取付口
３２    ブッシング
３３    ソケット
３４    ニップル
４０    フランジ
５０，５１  抵抗手段
５２    螺旋案内溝（案内部）
５３    プランジャー（係合ピン）
５３ａ  球体（回転体）
５４    水平案内溝（案内部）
５５    螺旋案内溝
６０    ハンドル
Ｐ      水道用配管
Ｖ      開閉弁
Ｇ      地面
Ｍ      マンホール
Ｃ      蓋
【図１】
2006112076.tif 000003
【図２】
2006112076.tif 000004
【図３】
2006112076.tif 000005
【図４】
2006112076.tif 000006
【図５】
2006112076.tif 000007
【図６】
2006112076.tif 000008
【図７】
2006112076.tif 000009